(57)【要約】【課題】淹れたての風味を味わうことができるように粉末茶と飲料水を飲料直前に混合させる飲料容器において、混合作業性の良い飲料容器を提供する【解決手段】ペットボトル等の飲料容器の瓶口に、内部キャップをそのフランジ部を瓶口上端部に当接させた状態でシール剤を介して止着し、瓶口内に没入する同キャップの収納部に粉末茶を収納させ、また同キャップの収納部底面に設けた機械的弱点部に対向する下方突出部と、瓶口外周面のネジ部下方に対し密接する不正開放防止部とを設けた外部キャップを瓶口ネジ部にネジ着し、同外部キャップの内面には瓶口ネジ部へのネジ込み時に下方突出部が上記機械的弱点部を破断した状態で瓶口上端部に当接して飲料容器の瓶口部のシール状態を維持するシール部材を付設すると共に、更に該下方突出部に上記収納部の粉末茶を密閉するシール部を設けた。【選択図】  図１
2004276942.tif 000002
【特許請求の範囲】
【請求項１】
ペットボトル等の飲料容器の瓶口を密封すべく、同口に対し内部キャップを、そのフランジ部を瓶口の上端部に当接させた状態でシール剤を介して止着し、
さらに瓶口内に没入する上記内部キャップの収納部には粉末茶を収納し、
また、上記瓶口には、同口のネジ部へのネジ着時、上記内部キャップの収納部の底面に設けた機械的弱点部に対向する下方突出部と、瓶口のネジ部下方の外周面に対し密接する不正開放防止部とを設けた外部キャップを、上記内部キャップの外側から瓶口のネジ部に対しネジ着し、
さらに上記外部キャップの内面には同キャップのネジ着回転時に、同キャップの下方突出部が内部キャップの収納部の底面の機械的弱点部を破断した状態において、瓶口の上端部に当接して飲料容器の瓶口部のシール状態を維持するパッキン等のシール材を付設すると共に
さらに上記外部キャップの下方突出部には、上記収納部に収納する粉末茶を密閉するためのシール部乃至はシール部材を設けたことを特徴とするペットボトル等の飲料容器のキャップ構造。
【発明の詳細な説明】
【０００１】
【発明の属する技術分野】
本発明は、臼で挽いた微粉末状のお茶と水を分離状態に収納され、飲用時に両者を混合して飲料する飲料容器の改良に関するものである。
【０００２】
【従来の技術】
従来、お茶、コーヒー、ジュース等は、工場で調合された飲料を缶、ビン、ペットボトル等の密閉された飲料容器に詰められて、自動販売機等で販売されている。
これらのものは、実際に消費者に渡るまでに時間がかかるため、その保存期間中の経時変化で味や風味が悪くなるという問題があった。
そのため、飲用時に微粉末状のお茶等の食味材と飲料水を飲料直前に混合させることによって、淹れたての風味を味わうことができるようにした混合容器が提案されている。（例えば、特許文献１参照。）
【０００３】
これは図８に示すようにキャップ１２内面に形成した筒状の収納部１２ａ内に粉末状のお茶等の食味材１４を収納しておき、飲料時、キャップを取外し、収納部の下端開口部を密閉するシール１６を剥がした後、収納部から食味材を出して飲料水に混ぜ、再度キャップを締め直し、両者を混合するようにしたものである。
【０００４】
【特許文献１】
特開２００２−１１４２５９号公報（第２頁、第３図）
【０００５】
【発明が解決しようとする課題】
上記においては、食味材を飲料水に混ぜる場合、一旦キャップを緩めて瓶口より取外し、シールを剥がした後、再びキャップを締め直すことが必要なため、非常に混合作業が面倒である。
また、収納部の下端開口部を封鎖するアルミ箔などの薄い部材で作られたシールが、開口部に対し粘着或いは溶着されているが、飲料水の水面と接近しているため、運搬時等でペットボトルに軽い衝撃等が加わったりすると、シールが剥離したり、破れたり、水が侵入したりし易い等、収納部の密封構造に問題があった。
【０００６】
本発明は上記問題点を解決するために、作業性が良く、粉末茶を確実に容器本体内へ落下させることができる飲料容器を提供することにある。
【０００７】
【課題を解決するための手段】
上記目的を達成するために本発明は
ペットボトル等の飲料容器の瓶口を密封すべく、同口に対し内部キャップを、そのフランジ部を瓶口の上端部に当接させた状態でシール剤を介して止着し、
さらに瓶口内に没入する上記内部キャップの収納部には粉末茶を収納し、
また上記瓶口には、同口のネジ部へのネジ着時、上記内部キャップの収納部の底面に設けた機械的弱点部に対向する下方突出部と、瓶口のネジ部下方の外周面に対し密接する不正開放防止部とを設けた外部キャップを、上記内部キャップの外側から瓶口のネジ部に対しネジ着し、
さらに上記外部キャップの内面には同キャップのネジ着回転時に、同キャップの下方突出部が内部キャップの収納部の底面の機械的弱点部を破断した状態において、瓶口の上端部に当接して飲料容器の瓶口部のシール状態を維持するパッキン等のシール材を付設すると共に
さらに上記外部キャップの下方突出部には、上記収納部に収納する粉末茶を密閉するためのシール部乃至はシール部材を設けたことを特徴とするペットボトル等の飲料容器のキャップ構造である。
【０００８】
【発明の実施の形態】
本発明の実施例を図を用いて説明する。
図１に示すように、１は缶、ビン、ペットボトル等からなる飲料容器であり、飲料容器１内部には飲料水７が収納されている。
なお飲料容器１内部に収納されるものは、液体状のものであればよく、本実施例の飲料水７に限定されるものではない。
【０００９】
また、飲料容器１の瓶口１ａの内側には内部キャップ２が、瓶口の上端面１ｃと内部キャップ２のフランジ部２ａとが当接した状態で図示していないシール材を介して止着されている。
なお、シール材は内部キャップ２の収納部２ｂ外周部と瓶口１ｂの内周部との間に設けてもよい。
【００１０】
内部キャップ２は合成樹脂で作られており、図５に示すように上部が開口し、底面２ｃを有している略筒状の収納部２ｂとフランジ部２ａとから構成されている。
また内部キャップ２の収納部２ｂの底面２ｃには略円形状に設けられた略Ｖ字形状の切溝または薄肉などからなる機械的弱点部２ｄが設けられており、底面２ｃの非弱点部２ｅには機械的弱点部２ｄが設けられていない構造となっている。
この非弱点部２ｅにより機械的弱点部２ｄの破断時に底面２ｃが飲料水７内へ落下しない構造になっている。
【００１１】
図１に示すように内部キャップ２の収納部２ｂ内部には臼で挽いたりして微粉末状にした粉末茶５が収納されており、
内部キャップ２により、飲料水７と粉末茶５が常時分離された状態で飲料容器１内に収納されるようになっている。
【００１２】
飲料容器１の瓶口１ａの外周にはネジ部１ｂが設けられており、先端部が刃形状などの形状になっている下方突出部３ｂを備えた合成樹脂からなる外部キャップ３が螺着されている。
下方突出部３ｂの内側には窪み部３ｅが設けられ、また外周には突起状のシール部３ｃが設けられている。
下方突出部３ｂのシール部３ｃが内部キャップ２の収納部２ｂ内周面に当接して、収納部２ｂ内に収納されている粉末茶５を密閉する構造となっている。
【００１３】
これにより、長期間の保存に対しても粉末茶５が経時変化で新鮮度を失うことなく、飲用時に擂りたての美味しい風味を味わうことができる。
また、窪み部３ｅにより粉末茶５の収納スペースを大きくすることができる。
【００１４】
なお窪み部３ｅの形状、深さは本実施例に限定されるものではなく、本目的を達成する任意の大きさにすることができ、窪み部３ｅを無くしてもよい。
【００１５】
また収納部２ｂ内に収納するものは本実施例に限定されるものではなく、粉末状にしたコーヒー、紅茶、果汁等の食味材を使用することもできる。
【００１６】
更に外部キャップ３上面３ａ内側にはパッキン等のシール材からなるシール部材６が止着されており、外部キャップ下面３ｄには不正開放防止部４がミシン目等の切欠部、切溝、薄肉などの機械的弱点部分が設けられている接続部４ａで繋がっている。
【００１７】
また不正開放防止部４は瓶口１ａのネジ部１ｂ下方に設けられた突起部１ｃに係止する係止部４ｂと荷重を加えることによって突起部１ｃを乗り越える突起部４ｃが設けられている。
【００１８】
次に本実施例の飲用方法について説明する。
本飲料は自動販売機等で購入される。
飲用時には、図示していない外部キャップ３等に記載されている操作方法に従って、外部キャップ３を右回転させて、シール部材６がフランジ部２ａに当接して止まるまでネジ込む。
【００１９】
外部キャップ３を瓶口１ａのネジ部１ｂにねじ込むことにより、外部キャップ３の下方突出部３ｂが内部キャップ２の収納部２ｂの底面２ｃに当接し、更に底面２ｃを上方から押し下げるため、収納部２ｂの底面２ｃに設けられている機械的弱点部２ｄが下方突出部３ｂにより破断されて、収納部２ｂ内に収納している粉末茶５が前記破断部（落下口）より飲料水７内へ落下する。
【００２０】
この時、図２に示すように内部キャップ２底面２ｃの非弱点部２ｅにより底面２ｃが飲料水７内へ落下しないようになっている。
また外部キャップ３のシール部３ｃにより、収納部２ｂ内の粉末茶５が一部残らず押し出されるため、破断部付近でだま状になった粉末茶５を落とすことができ、落下口の一部を塞ぐことなく粉末茶５を確実に落下させることができる。
【００２１】
また同時に、外部キャップ３を瓶口１ａのネジ部１ｂにねじ込むことにより、外部キャップ３の下面３ｄが不正開放防止部４の突起部４ｃを押し下げることにより、不正開放防止部４の突起部４ｃが瓶口１ａのネジ部１ｂ下方の突起部１ｃを乗り越えて、シール部材６がフランジ部２ａに当接して止まるまで不正開放防止部４が押し下げられる。
【００２２】
この図２に示す状態で飲料容器１を振り、粉末茶５を飲料水７によく攪拌混合させる。
この時、シール部３ｃ或いはシール部材６の両者が当接し、押圧状態にあるため、飲料容器１のシール性が確保されており、飲料容器１を振っても外部キャップ３より液漏れすることがない。
【００２３】
攪拌後、外部キャップ３を左回転させて、外部キャップ３を飲料容器１より取り外し、飲用する。
この時、図３に示すように不正開放防止部４の係止部４ｂが瓶口１ａのネジ部１ｂ下方の突起部１ｃに係止されるため、不正開放防止部４の接続部４ａが外部キャップ下面３ｄから切断されて、外部キャップ３のみを外すことができる。
外部キャップ３と不正開放防止部４の切断により、開放したことが容易に判別できる。
なお、飲用時に内部キャップ２を瓶口より取り外せるようにしてもよい。
【００２４】
このように、外部キャップ３を右回転させる操作のみで、粉末茶５を飲料水７に混合させることが容易にできる。
この時、手が汚れることもなく、またゴミも発生しない。
【００２５】
飲用途中で持ち運ぶ場合には、再度外部キャップ３を右回転させてシール部材６がフランジ部２ａに当接して止まるまで瓶口に締め付けることにより、図４に示すように液漏れすることなく、持ち運ぶことができる。
また図４に示すように不正開放防止部４は外部キャップ３の下面３ｄにより、突起部４ｃが瓶口の突起１ｃを乗り越えて、瓶口１ａより外れないようになっている。
【００２６】
また、図６に示すように外部キャップ３の下方突出部３ｂのシール部３ｃの代わりに、Ｏリング等のシール部材８を下方突出部３ｂの外周に止着させるような構造にしてもよい。
【００２７】
また、不正開放防止部４が瓶口１ａの突起部１ｃに係止されているため、図７に示すように外部キャップ３と瓶口１ａのネジ嵌合がなくても、運搬保管時に外部キャップ３が外れることがない。
【００２８】
飲用後に再資源可能に分別できるように、不正開放防止部４の縦方向にミシン目または切り込み等を設けて、不正開放防止部４を飲料容器１から外せれるようにしてもよい。
【００２９】
【発明の効果】
内部キャップ２の収納部２ｂに収納された粉末茶５は、常時は収納部の底面２ｃと外部キャップ３のシール部３ｃ乃至はシール部材８によりシールされているため、粉末茶５は新鮮度を失うことなく常に擂りたての美味しいお茶を味わうことができる。
【００３０】
また外部キャップ３のネジ込み時、下方突出部３ｂにより収納部２ｂの底面２ｃの機械的弱点部２ｄを破断して落下口を形成し、そこから収納部内の粉末茶５を飲料水７の水面上へ落下させるのであるが、かかる場合、シール部３ｃ乃至はシール部材８により、収納部内の粉末茶５が一部残らず押し出されるため、無駄が無い。
而も、シール部３ｃ乃至はシール部材８により、収納部内の粉末茶５が上部方向へ漏れ出ることがない。
【００３１】
また、下方突出部により収納部の底面の機械的弱点部が破断されその落下口より粉末茶が飲料水の水面上に落ちた状態においても、外部キャップ内面のパッキン６が瓶口の上端面部に当接して飲料容器の気密を維持するため、飲料容器を振って粉末茶と飲料水を混ぜ合わせる時にも飲料水漏れが起こらない。
【００３２】
混合時に外部キャップの着脱作業が不要であり、手を汚すことがなく、而も飲用途中でゴミを出さない。
【図面の簡単な説明】
【図１】本願発明の実施例を示す説明図である。
【図２】図１の混合状態時の説明図である。
【図３】図１の開封時の説明図である。
【図４】図１の開封後の説明図である。
【図５】内部キャップの説明図である。
（ａ）断面図
（ｂ）底面図
【図６】本願発明の第二の実施例を示す説明図である。
【図７】本願発明の第三の実施例を示す説明図である。
【図８】従来例の説明図である。
【符号の説明】
１      飲料容器
２      内部キャップ
３      外部キャップ
４      不正開放防止部
５      粉末茶
６、８、１５  シール部材
７      飲料水
【図１】
2004276942.tif 000003
【図２】
2004276942.tif 000004
【図３】
2004276942.tif 000005
【図４】
2004276942.tif 000006
【図５】
2004276942.tif 000007
【図６】
2004276942.tif 000008
【図７】
2004276942.tif 000009
【図８】
2004276942.tif 000010